(57)【要約】【課題】スイッチの操作部のレイアウトの自由度を高めることができ、スイッチの誤操作による問題の発生を好適に抑制することができる。【解決手段】制御装置は、ダイヤル式のノブ１２，２２を有し、同ノブの操作状態を検出するロータリ式スイッチ１１，２１を備えている。また、これらロータリ式スイッチのノブ１２，２２よりも鉛直方向下方に近接して配置される操作面１４，１６，１８，２４，２６，２８を有し、これら操作面への操作者の接触状態を検出する静電容量式スイッチ１３，１５，１７，２３，２５，２７を備えている。また、これら静電容量式スイッチ１３，１５，１７，２３，２５，２７からの出力信号に基づき各種の制御を行なう制御部５０を備えている。また、制御部５０は、ロータリ式スイッチ１１，２１のノブ１２，２２が操作されているときには静電容量式スイッチ１３，１５，１７，２３，２５，２７からの出力信号を無効化する。【選択図】図１
2013256186.tif 000002
【特許請求の範囲】
【請求項１】
機械的に操作可能な操作部を有し、同操作部の操作状態を検出する第１スイッチと、
前記第１スイッチの操作部に近接して配置される操作部を有し、同操作部への操作者の接触状態を検出する第２スイッチと、
これらスイッチからの出力信号に基づき各種の制御を行なう制御部と、
を備える制御装置において、
前記制御部は、前記第１スイッチの操作部が操作されているときには前記第２スイッチからの出力信号を無効化する
ことを特徴とする制御装置。
【請求項２】
当該制御装置は車室内に設けられている、
請求項１に記載の制御装置。
【請求項３】
前記第２スイッチは静電容量式のスイッチである、
請求項１又は請求項２に記載の制御装置。
【請求項４】
前記制御部は、前記第１スイッチの操作部の操作が停止してから所定期間が経過するまでは前記第２スイッチからの出力信号を無効化する処理を継続する、
請求項１〜請求項３のいずれか一項に記載の制御装置。
【請求項５】
前記制御部は、前記第２スイッチの操作部に対する操作者の接触状態が解除されたときに同操作部に対して操作者が接触した旨判断する、
請求項１〜請求項４のいずれか一項に記載の制御装置。
【請求項６】
前記第２スイッチの操作部は前記第１スイッチの操作部よりも鉛直方向下方に位置している、
請求項１〜請求項５のいずれか一項に記載の制御装置。
【発明の詳細な説明】
【技術分野】
【０００１】
本発明は、互いに近接配置される操作部を有する複数のスイッチ、及びこれらスイッチからの出力信号に基づき各種の制御を行なう制御部を備える制御装置に関する。
【背景技術】
【０００２】
この種の制御装置としては、例えば特許文献１に記載の制御装置がある。特許文献１に記載の技術では、車室内のセンターコンソールにディスプレイが配置されており、このディスプレイの側方に複数のスイッチの操作部が互いに近接配置されている。こうした操作部としては、音量を調節するためのダイヤル式のノブ（ロータリ式のスイッチの操作部）や、オーディオの各種機能（ＡＭラジオ放送、ＦＭラジオ放送、ＣＤ、ＴＶ放送等）を選択するためのボタンや電話機能を選択するためのボタン（押しボタン式のスイッチの操作部）等が設けられている。
【０００３】
また、静電容量式のスイッチが周知である（例えば特許文献２参照）。静電容量式のスイッチにおいては、例えば操作者の指とスイッチの検出部とによってコンデンサが構成される。そして、操作者の指がスイッチの操作部に触れることに伴って当該コンデンサの静電容量が変化すると、この変化が検出されることによって当該スイッチの操作部への操作者の接触状態が検出される。
【先行技術文献】
【特許文献】
【０００４】
【特許文献１】特開２０１１―１５２８７３号公報
【特許文献２】特開２００９−１６２０７号公報
【発明の概要】
【発明が解決しようとする課題】
【０００５】
ところで、例えば上記ダイヤル式のノブの直下に静電容量式のスイッチの操作部を近接して配置すると、以下の問題が生じるおそれがある。すなわち、操作者がオーディオの音量を調節すべくダイヤル式のノブを操作しているときに静電容量式のスイッチの操作部に誤って触れると、操作者の意図しない機能が選択されてしまう。そのため、ダイヤル式のノブと静電容量式のスイッチの操作部とを、ある程度離間して配置する等のレイアウト上の対策が必要となり、スイッチの操作部のレイアウトの自由度が制限されることとなる。
【０００６】
本発明の目的は、スイッチの操作部のレイアウトの自由度を高めることができ、スイッチの誤操作による問題の発生を好適に抑制することのできる制御装置を提供することにある。
【課題を解決するための手段】
【０００７】
上記目的を達成するため、本発明に従う制御装置は、機械的に操作可能な操作部を有し、同操作部の操作状態を検出する第１スイッチと、前記第１スイッチの操作部に近接して配置される操作部を有し、同操作部への操作者の接触状態を検出する第２スイッチと、これらスイッチからの出力信号に基づき制御を行なう制御部と、を備える。また、前記制御部は、前記第１スイッチの操作部が操作されているときには前記第２スイッチからの出力信号を無効化する。
【０００８】
同構成によれば、第１スイッチの操作部が操作されているときには第２スイッチからの出力信号が無効化される。このため、第１スイッチの操作部の操作中に第２スイッチの操作部に誤って触れてしまった場合には、第２スイッチからの出力信号に基づき意図しない所定の制御が実行されることがなくなる。従って、スイッチの操作部のレイアウトの自由度を高めつつ、スイッチの誤操作による問題の発生を好適に抑制することができる。
【０００９】
この場合、当該制御装置は車室内に設けられているといった態様が好ましい。
制御装置が車室内に設けられる構成においては、特に車両走行中に振動等によって第１スイッチの操作部の操作中に第２スイッチの操作部に誤って触れてしまいやすい。この点、本発明によれば、第１スイッチの操作部の操作中に第２スイッチの操作部に誤って触れてしまった場合には、第２スイッチからの出力信号に基づき意図しない所定の制御が実行されることがなくなることから、車両走行中であっても、スイッチの誤操作による問題の発生を好適に抑制することができる。
【００１０】
また、前記第２スイッチは静電容量式のスイッチであるといった態様が好ましい。
静電容量式のスイッチにおいては、例えば操作者の指がその操作部に触れると、当該指と同スイッチの検出部とによって構成されるコンデンサの静電容量が変化することとなる。そして、そうした静電容量の変化を検出することにより、第２スイッチの操作部への接触状態が検出される。そのため、第１スイッチの操作部の操作中に第２スイッチの操作部に誤って触れてしまい、意図しない所定の制御が実行されるといった誤操作が発生しやすい。この点、本発明によれば、第１スイッチの操作部が操作されているときには第２スイッチからの出力信号が無効化されることから、静電容量式のスイッチの誤操作による問題の発生を好適に抑制することができる。
【００１１】
また、前記第１スイッチの操作部の操作が停止してから所定期間が経過するまでは前記第２スイッチからの出力信号を無効化する処理を継続するといった態様が好ましい。
同態様によれば、第１スイッチの操作部の操作が停止してから所定期間が経過するまでは第２スイッチからの出力信号を無効化する処理が継続される。このため、第１スイッチの操作部の操作を終え、同操作部から手を離そうとする際に第２スイッチの操作部に誤って触れてしまった場合であっても、意図しない所定の制御が実行されるといった誤操作の発生を好適に抑制することができる。
【００１２】
また、前記第２スイッチの操作部に対する操作者の接触状態が解除されたときに同操作部に対して操作者が接触した旨判断するといった態様が好ましい。
同態様によれば、第２スイッチの操作部に対する操作者の接触状態が開始されたときではなく、当該接触状態が解除されたときに同操作部に対して操作者が接触した旨判断される。このため、例えば第１スイッチの操作部を操作する前に、第２スイッチの操作部に誤って触れてしまった場合であっても、意図しない所定の制御が実行されるといった誤操作の発生を好適に抑制することができる。
【００１３】
また、前記第２スイッチの操作部は前記第１スイッチの操作部よりも鉛直方向下方に位置しているといった態様が好ましい。
第２スイッチの操作部が第１スイッチの操作部よりも鉛直方向下方に位置している構成の場合、第１スイッチの操作部を操作しているときに同操作部を操作している指以外の他の指或いは手のひらで第２スイッチの操作部に誤って接触しやすい。この点、本発明によれば、スイッチの誤操作による問題の発生を好適に抑制することができる。
【図面の簡単な説明】
【００１４】
【図１】第１実施形態に係る制御装置の概略構造を示す概略図。
【図２】ロータリ式スイッチのノブを操作しているときに静電容量式スイッチの操作面に誤って触れている状態の一例を示す図。
【図３】同実施形態における静電容量式スイッチからの出力信号の無効化処理の実行手順を示すフローチャート。
【図４】同実施形態における作用を説明するためのタイミングチャートであって、（ａ）ノブの操作状態の推移、（ｂ）静電容量式スイッチの操作面への接触状態の推移、（ｃ）静電容量式スイッチからの出力信号の活用状態の推移を併せ示すタイミングチャート。
【図５】第２実施形態における静電容量式スイッチからの出力信号の無効化処理の実行手順を示すフローチャート。
【図６】同実施形態における作用を説明するためのタイミングチャートであって、（ａ）ノブの操作状態の推移、（ｂ）静電容量式スイッチの操作面への接触状態の推移、（ｃ）静電容量式スイッチからの出力信号の活用状態の推移を併せ示すタイミングチャート。
【図７】第３実施形態における作用を説明するためのタイミングチャートであって、（ａ）ノブの操作状態の推移、（ｂ）静電容量式スイッチの操作面への接触状態の推移、（ｃ）静電容量式スイッチからの出力信号の活用状態の推移を併せ示すタイミングチャート。
【図８】同実施形態における作用を説明するためのタイミングチャートであって、（ａ）ノブの操作状態の推移、（ｂ）静電容量式スイッチの操作面への接触状態の推移、（ｃ）静電容量式スイッチからの出力信号の活用状態の推移を併せ示すタイミングチャート。
【発明を実施するための形態】
【００１５】
＜第１実施形態＞
以下、図１〜図４を参照して、本発明に係る制御装置を、車室内のセンターコンソールに配置されて電子機器を制御する制御装置として具体化した第１実施形態について説明する。
【００１６】
図１に示すように、制御装置は、意匠面を構成する意匠パネル１ａが設けられた操作ユニット１を備えている。
意匠パネル１ａの中央部には矩形状をなすディスプレイ４０が設けられている。また、ディスプレイ４０の上方には、車幅方向に沿って延びる開口が形成されており、この開口はＣＤ（Conpact Disc）等のデジタル情報が記憶されたディスクを挿入可能なディスク挿入口３５とされている。
【００１７】
車幅方向においてディスク挿入口３５の両側には一対の操作ボタン３２，３４が配設されている。操作ボタン３２，３４は押しボタン式スイッチ３１，３３の操作部を構成している。押しボタン式スイッチ３１，３３は、操作ユニット１の内部に挿入されているディスクを取り出す信号を制御部５０に対して出力するスイッチと、演奏中の楽曲の再生／一時停止を切り換える信号を制御部５０に対して出力するスイッチとからなる。
【００１８】
また、車幅方向において上記一対の押しボタン式スイッチ３１，３３の外側には、一対のダイヤル式のノブ１２，２２が回転可能に配設されている。ノブ１２，２２はロータリ式スイッチ（左側ロータリ式スイッチ１１、右側ロータリ式スイッチ２１）の操作部を構成しており、これらロータリ式スイッチ１１，２１によってノブ１２，２２の操作状態が検出される。左側ロータリ式スイッチ１１は、音量を調節するための信号を制御部５０に対して出力するスイッチである。また、右側ロータリ式スイッチ２１は、ディスクの再生トラックを変更する信号やラジオ放送における受信周波数を変更する信号を制御部５０に対して出力するスイッチである。ちなみに、左側ロータリ式スイッチ１１のノブ１２は、押しボタン式スイッチとしても構成されており、オーディオ機能のオン／オフを切り換える信号を制御部５０に対して出力する。
【００１９】
また、これら一対のノブ１２，２２の直下には、操作面１４，１６，１８，２４，２６，２８が上下方向に沿って３つずつ並設されている。これら操作面１４，１６，１８，２４，２６，２８は車幅方向においてディスプレイ４０の外側に位置している。操作面１４，１６，１８，２４，２６，２８は静電容量式スイッチ１３，１５，１７，２３，２５，２７の操作部を構成しており、これら操作面１４，１６，１８，２４，２６，２８によって操作面１４，１６，１８，２４，２６，２８への操作者の接触状態が検出される。すなわち、静電容量式スイッチ１３，１５，１７，２３，２５，２７においては、例えば操作者の指と同スイッチ１３，１５，１７，２３，２５，２７の検出部（図示略）とによってコンデンサが構成される。そして、操作者の指がスイッチ１３，１５，１７，２３，２５，２７の操作面１４，１６，１８，２４，２６，２８に触れることに伴って当該コンデンサの静電容量が変化することを検出することにより、当該操作面１４，１６，１８，２４，２６，２８への操作者の接触状態が検出される。
【００２０】
静電容量式スイッチ１３，１５，１７，２３，２５，２７には各種の信号を制御部５０に対して出力する機能が割り当てられている。各種の信号としては例えば、オーディオの各種機能（ＡＭラジオ放送、ＦＭラジオ放送、ＣＤ、ＴＶ放送等）を変更するための信号や、電話の機能を選択するための信号、ディスクの再生トラックを変更するための信号等が挙げられる。
【００２１】
制御部５０は、上記各スイッチからの出力信号に基づき各種の制御を行なうものであり、各種の制御に係る演算処理を実施する中央演算処理装置（ＣＰＵ）、各種の制御用のプログラムやデータが記憶されたメモリ等を備えて構成されている。そして、制御部５０は、各スイッチからの出力信号を読み込み、各種演算処理を実行し、その結果に基づいて各種の制御を実行する。
【００２２】
尚、以降において、便宜上、ロータリ式スイッチ１１，２１を単にロータリ式スイッチ１１とし、ノブ１２，２２を単にノブ１２として説明する。また、静電容量式スイッチ１３，１５，１７，２３，２５，２７を単に静電容量式スイッチ１３とし、操作面１４，１６，１８，２４，２６，２８を単に操作面１４とする。
【００２３】
本実施形態の制御部５０は、静電容量式スイッチ１３の操作面１４に対して操作者が接触したときの出力信号の変化に基づき、同操作面１４に対して操作者が接触した旨判断する。
【００２４】
また、制御部５０は、ロータリ式スイッチ１１や、静電容量式スイッチ１３からの出力信号に基づいて行なわれる各種の制御の処理結果をディスプレイ４０に表示させる。
ところで、本実施形態ではダイヤル式のノブ１２の直下に静電容量式スイッチ１３の操作面１４が近接して配置されている。このため、図２に示すように、例えばオーディオの音量を調節すべく操作者は親指と人差し指（或いは中指）とで同ノブ１２を操作することとなる。このとき、手のひら或いは他の指で静電容量式スイッチ１３の操作面１４に誤って触れやすい。特に、車両走行中においてはブラインド操作されたり、車両振動によって手許が動いたりすることによりノブ１２の操作中に静電容量式スイッチ１３の操作面１４に誤って触れてしまいやすい。そのため、操作者の意図しない機能が選択されてしまうおそれがある。
【００２５】
そこで、本実施形態では、こうした不都合の発生を抑制すべく、制御部５０を通じて、ロータリ式スイッチ１１のノブ１２が操作されているときには静電容量式スイッチ１３からの出力信号を無効化する無効化処理が行なわれる。
【００２６】
次に、図３を参照して、静電容量式スイッチ１３からの出力信号の無効化処理の実行手順について説明する。尚、この一連の処理は、制御部５０により所定期間毎に繰り返し実行される。
【００２７】
図３に示すように、この一連の処理では、まず、ステップＳ１において、ロータリ式スイッチ１１のノブ１２の操作中であるか否かが判断される。すなわち、ロータリ式スイッチ１１からの出力信号が前回の制御周期における値から変化しているか否かが判断される。ここで、ロータリ式スイッチ１１からの出力信号が前回の制御周期における値から変化している場合には、ロータリ式スイッチ１１のノブ１２の操作中である旨判断して（ステップＳ１：「ＹＥＳ」）、次に、ステップＳ２に移行される。そして、静電容量式スイッチ１３からの出力信号が無効化されて、すなわち各種の制御において静電容量式スイッチ１３からの信号が出力されていないものとして処理され、この一連の処理が一旦終了される。
【００２８】
一方、ロータリ式スイッチ１１からの出力信号が前回の制御周期における値から変化していない場合には、ロータリ式スイッチ１１のノブ１２の操作中ではない旨判断されて（ステップＳ１：「ＮＯ」）、この一連の処理が一旦終了される。
【００２９】
次に、図４を参照して、本実施形態の作用について説明する。
図４に示すように、タイミングｔ１からタイミングｔ４までにわたってロータリ式スイッチ１１のノブ１２が操作されているとき（ａ）、この期間内のタイミングｔ２からタイミングｔ３までの期間に、静電容量式スイッチ１３の操作面１４に誤って触れてしまったとする（ｂ）。このとき、静電容量式スイッチ１３からの出力信号が無効化される（ｃ）。このため、ノブ１２の操作中に静電容量式スイッチ１３の操作面１４に誤って触れてしまった場合に、ディスプレイ４０の表示態様が意図せず変更されることがなくなる。
【００３０】
一方、ロータリ式スイッチ１１のノブ１２が操作されていないタイミングｔ５からタイミングｔ６までの期間において、静電容量式スイッチ１３の操作面１４に触れたとする（ｂ）。このとき、静電容量式スイッチ１３からの出力信号がそのまま活用され、同出力信号に基づきディスプレイ４０の表示態様が変更される。
【００３１】
以上説明した本実施形態に係る制御装置によれば、以下に示す効果が得られるようになる。
（１）制御部５０は、ロータリ式スイッチ１１のノブ１２が操作されているときには静電容量式スイッチ１３からの出力信号を無効化する。こうした構成によれば、ノブ１２の操作中に静電容量式スイッチ１３の操作面１４に誤って触れてしまった場合に、ディスプレイ４０の表示態様が意図せず変更されることがなくなる。従って、スイッチのノブ１２や操作面１４のレイアウトの自由度を高めることができる。また、スイッチの誤操作によりディスプレイ４０の表示態様が意図せず変更されてしまうといった問題の発生を好適に抑制することができる。
【００３２】
＜第２実施形態＞
以下、図５及び図６を参照して、本発明の第２実施形態について説明する。
本実施形態では、ロータリ式スイッチ１１のノブ１２の操作が停止してから所定期間Δｔ（例えば数百ミリ秒）が経過するまでは静電容量式スイッチ１３からの出力信号を無効化する処理が継続される点が、先の第１実施形態と相違している。ちなみに、この所定期間Δｔには、人間工学に基づく実験やシミュレーション等を通じて予め適切な値が設定されている。
【００３３】
次に、図５を参照して、静電容量式スイッチ１３からの出力信号の無効化処理の実行手順について説明する。尚、この一連の処理は、制御部５０により所定期間毎に繰り返し実行される。この処理の制御周期である所定期間は、上記所定期間Δｔよりも遙かに短い期間（例えば数ｍ秒）とされている。
【００３４】
図５に示すように、この一連の処理では、まず、ステップＳ１１において、ロータリ式スイッチ１１のノブ１２の操作中であるか否かが判断される。その結果、ロータリ式スイッチ１１のノブ１２の操作中である旨判断された場合（ステップＳ１１：「ＹＥＳ」）には、次に、ステップＳ１２に移行される。そして、静電容量式スイッチ１３からの出力信号が無効化されて、すなわち各種の制御において静電容量式スイッチ１３からの信号が出力されていないものとして処理されて、この一連の処理が一旦終了される。
【００３５】
一方、ロータリ式スイッチ１１のノブ１２の操作中ではない旨判断された場合（ステップＳ１１：「ＮＯ」）には、次に、ステップＳ１３に移行される。そして、ノブ１２の操作が停止されてからの経過期間が所定期間Δｔ未満であるか否かが判断される。その結果、ノブ１２の操作が停止されてからの経過期間が所定期間Δｔ未満である旨判断された場合には、次に、ステップＳ１２に移行される。そして、静電容量式スイッチ１３からの出力信号が無効化されて、すなわち無効化処理が継続されて、この一連の処理が一旦終了される。
【００３６】
また、ロータリ式スイッチ１１のノブ１２の操作中ではない旨判断され（ステップＳ１１：「ＮＯ」）、且つノブ１２の操作が停止されてからの経過期間が所定期間Δｔ以上である旨判断された場合（ステップＳ１３：「ＮＯ」）には、この一連の処理が一旦終了される。
【００３７】
次に、図６を参照して、本実施形態の作用について説明する。
図６に示すように、タイミングｔ１１からタイミングｔ１２までにわたってロータリ式スイッチ１１のノブ１２が操作され（ａ）、このタイミングｔ１２から所定期間Δｔが経過するまでの期間において、静電容量式スイッチ１３の操作面１４に誤って触れてしまったとする（ｂ）。このとき、ロータリ式スイッチ１１のノブ１２の操作が停止されたタイミングｔ１２から所定期間Δｔが経過するまでは静電容量式スイッチ１３からの出力信号を無効化する処理が継続される（ｃ）。このため、静電容量式スイッチ１３からの出力信号が無効化される（ｃ）。従って、ロータリ式スイッチ１１のノブ１２の操作を終え、同ノブ１２から手を離そうとする際に静電容量式スイッチ１３の操作面１４に誤って触れてしまった場合であっても、ディスプレイ４０の表示態様が意図せず変更されることが好適に抑制される。
【００３８】
以上説明した本実施形態に係る制御装置によれば、先の第１実施形態の効果（１）に加え、新たに以下に示す効果が得られるようになる。
（２）制御部５０は、ロータリ式スイッチ１１のノブ１２の操作が停止してから所定期間Δｔが経過するまでは静電容量式スイッチ１３からの出力信号を無効化する処理を継続する。こうした構成によれば、ロータリ式スイッチ１１のノブ１２の操作を終え、同ノブ１２から手を離そうとする際に静電容量式スイッチ１３の操作面１４に誤って触れてしまった場合であっても、ディスプレイ４０の表示態様が意図せず変更されることを好適に抑制することができる。
【００３９】
＜第３実施形態＞
以下、図７及び図８を参照して、本発明の第３実施形態について説明する。
本実施形態では、静電容量式スイッチ１３の操作面１４から操作者の手が離れたとき等、操作面１４に対する操作者の接触状態が解除されたときに、制御部５０において同操作面１４に対して操作者が接触した旨判断される点が、先の第２実施形態と相違している。
【００４０】
次に、図７及び図８を参照して、本実施形態の作用について説明する。
図７に示すように、タイミングｔ２２からタイミングｔ２４までにわたってロータリ式スイッチ１１のノブ１２が操作される際に（ａ）、このタイミングｔ２２よりも前のタイミングｔ２１からタイミングｔ２２よりも後であってタイミングｔ２４よりも前のタイミングｔ２３までの期間にわたり静電容量式スイッチ１３の操作面１４に誤って触れてしまったとする（ｂ）。このとき、静電容量式スイッチ１３の操作面に手が触れたタイミングｔ２１ではなく、同操作面１４から手が離れたタイミングｔ２３において同操作面１４に対して操作者が接触した旨判断される。ここで、ロータリ式スイッチ１１のノブ１２が操作されているタイミングｔ２２からタイミングｔ２４までの期間には静電容量式スイッチ１３からの出力信号が無効化される。このため、ロータリ式スイッチ１１のノブ１２を操作する前に、静電容量式スイッチ１３の操作面１４に誤って触れてしまった場合であっても、ディスプレイ４０の表示態様が意図せず変更されることが好適に抑制される。
【００４１】
また、図８に示すように、タイミングｔ３１からタイミングｔ３３までにわたってロータリ式スイッチ１１のノブ１２が操作される際に（ａ）、このタイミングｔ３３よりも前のタイミングｔ３２からタイミングｔ３３よりも後のタイミングｔ３４までの期間にわたり静電容量式スイッチ１３の操作面１４に誤って触れてしまったとする（ｂ）。このとき、静電容量式スイッチ１３の操作面１４に手が触れたタイミングｔ３２ではなく、同操作面１４から手が離れたタイミングｔ３４において同操作面１４に対して操作者が接触した旨判断される。ここで、ロータリ式スイッチ１１のノブ１２の操作が停止されたタイミングｔ３３から所定期間Δｔが経過するタイミングｔ３５までは静電容量式スイッチ１３からの出力信号を無効化する処理が継続される（ｃ）。このため、ロータリ式スイッチ１１のノブ１２の操作中に静電容量式スイッチ１３の操作面１４に誤って触れてしまい、ノブ１２の操作後に操作面１４から手が離れた場合であっても、ディスプレイ４０の表示態様が意図せず変更されることが好適に抑制される。
【００４２】
以上説明した本実施形態に係る制御装置によれば、先の第１実施形態の効果（１）、及び第２実施形態の効果（２）に加えて、新たに以下に示す効果が得られるようになる。
（３）制御部５０は、静電容量式スイッチ１３の操作面１４に対する操作者の接触状態が解除されたときに同操作面１４に対して操作者が接触した旨判断する。こうした構成によれば、例えばロータリ式スイッチ１１のノブ１２を操作する前に、静電容量式スイッチ１３の操作面１４に誤って触れてしまった場合であっても、ディスプレイ４０の表示態様が意図せず変更されることを好適に抑制することができる。
【００４３】
＜変形例＞
尚、本発明に係る制御装置は、上記実施形態にて例示した構成に限定されるものではなく、これを適宜変更した例えば次のような形態として実施することもできる。
【００４４】
・上記各実施形態に加えて、押しボタン式スイッチ３１，３３が操作されているときに静電容量式スイッチ１３からの出力信号を無効化するようにしてもよい。また、押しボタン式スイッチ３１，３３の操作が停止してから所定期間Δｔが経過するまで静電容量式スイッチ１３からの出力信号を無効化する処理を継続するようにしてもよい。
【００４５】
・本発明に係る第１スイッチは上記各実施形態において例示したロータリ式スイッチ１１或いは上記変形例において例示した押しボタン式スイッチ３１，３３に限られるものではない。機械的に操作可能な操作部を有し、同操作部の操作状態を検出するものであれば、他に、トグルスイッチやスライド式のスイッチ等、他のスイッチによって置換することができる。
【００４６】
・上記各実施形態では、静電容量式スイッチ１３がロータリ式スイッチ１１よりも下方に位置するものについて例示したが、本発明はこれに限られるものではなく、静電容量式スイッチがロータリ式スイッチよりも上方に位置するものや、静電容量式スイッチがロータリ式スイッチと車幅方向に沿って並設されるものとすることもできる。これらの場合であっても、上記各実施形態の効果に準じた効果を奏することができる。
【００４７】
・上記第２、３実施形態では、所定期間Δｔを固定値としたが、車速が大きいときほど、或いは車室内の振動が大きいときほど所定期間を大きくする等、車両の走行状態に応じて所定期間を可変設定するようにしてもよい。
【００４８】
・本発明に係る第２スイッチは上記各実施形態において例示した静電容量式スイッチ１３に限られるものではない。第１スイッチの操作部に近接して配置される操作部を有し、同操作部への操作者の接触状態を検出するスイッチであれば、光学式（例えば赤外線の反射光の強度を検出するもの）のスイッチや、圧電素子を用いたスイッチ等、他のスイッチによって置換することできる。
【００４９】
・上記各実施形態及びその変形例では操作ユニット１がセンターコンソール（この場合、前席側）に配置されるものについて例示したが、第１のスイッチの操作部及び第２のスイッチの操作部を車両の後席側に配設するようにすることもできる。また、第１のスイッチの操作部及び第２のスイッチの操作部を車両のドア側に設けるようにしてもよい。また、第１のスイッチの操作部及び第２のスイッチの操作部をステアリングホイールに配置するようにしてもよい。また、これらスイッチの操作部は車室内に固定されるものに限られるものではなく、リモートコントローラの操作パネルに設けることもできる。
【００５０】
・本発明に係る第１スイッチ及び第２スイッチに対して、カーナビゲーション機能や車室内の空調機能等、オーディオ機能や電話機能以外の機能を割り当てるようにしてもよい。
【００５１】
・本発明に係る制御装置を車載の制御装置以外の制御装置に対して適用することもできる。
【符号の説明】
【００５２】
１…操作ユニット、１ａ…意匠パネル、１１…左側ロータリ式スイッチ（第１スイッチ）、１２…ノブ（操作部）、１３、１５、１７…左側静電容量式スイッチ（第２スイッチ）、１４、１６、１８…操作面（操作部）、２１…右側ロータリ式スイッチ（第１スイッチ）、２２…ノブ（操作部）、２３、２５、２７…右側静電容量式スイッチ（第２スイッチ）、２４、２６、２８…操作面（操作部）、３１、３３…押しボタン式スイッチ、３２，３４…操作ボタン、３５…ディスク挿入口、４０…ディスプレイ（表示部）、５０…制御部。
【図１】
2013256186.tif 000003
【図２】
2013256186.tif 000004
【図３】
2013256186.tif 000005
【図４】
2013256186.tif 000006
【図５】
2013256186.tif 000007
【図６】
2013256186.tif 000008
【図７】
2013256186.tif 000009
【図８】
2013256186.tif 000010